(57)【特許請求の範囲】
【請求項１】
貯蔵庫内の側部に所定の高さで設けられた上下１対の係止孔に、前記貯蔵庫内に備えられる棚部材を受ける載置部と略直角上方に向けて形成される第１係止片と、前記載置部と鋭角をもって折曲する主支持部端部に形成される第２係止片とが係合することで取り付けられる棚受金具において、前記載置部と第１係止片を接続する部分は、載置部から前記係止孔の下辺に向けて折曲し形成される平面部分と、該平面部分から第１係止片と接続される曲面部または平面部により構成される補助支持部を有することを特徴とする貯蔵庫の棚受金具。
【請求項２】
前記載置部は、前記補助支持部の向かい側に載置部下方に折曲する傾斜部を備えていることに特徴を有する請求項１に記載の貯蔵庫の棚受金具。
【請求項３】
前記主支持部に補強リブを設けたところに特徴を有する請求項１または請求項２に記載の貯蔵庫の棚受金具。
【発明の詳細な説明】
【技術分野】
【０００１】
本発明は、冷蔵貯蔵庫や温蔵貯蔵庫において、貯蔵物品が載置される棚部材を貯蔵庫内の所定高さに支持する棚受金具に関する。
【背景技術】
【０００２】
従来、食品や飲料品等の物品を冷蔵もしくは保温等して保存する貯蔵庫内の空間を上下複数段に仕切るために、棚部材を所定高さに保持する棚受金具による棚受構造が知られている。
例えば、特許文献１に知られるような棚受金具は、金属製の板材を鋭角に折曲した略Ｖ字の金具で、棚部材の端部が載置される載置部と、該載置部に加わる荷重を支持する支持部から成り、載置部側には載置部端部と略直角に接続される第１係止片が備えられ、支持部側には支持部端部と略直角に接続される第２係止片が備えられている。上下一対の係止片は、貯蔵庫の内部空間を画成する金属製の側壁面に所要間隔で設けられた係止孔に取り付けられることで、載置部は略水平に保持され、載置部と鋭角を成すよう折曲された支持部により荷重が支えられる。
貯蔵庫の側壁面に設けられた係止孔は、棚部材が所定の高さに保持されるよう開設高さ及び間隔が左右一定となるよう設けられている。これにより着脱自在である棚受金具を付け替えることで貯蔵庫内の棚位置のレイアウトは自在となる。
また、棚受金具を取り付ける係止孔は貯蔵庫内の側壁面に直接設ける他に、特許文献２に知られるような貯蔵庫内の側部に備えられる、断面形状が略コの字の棚柱に設けられる構造もある。
【特許文献１】特開２００５−５５０４０号公報
【特許文献２】実公平３−４１２７６号公報
【発明の概要】
【発明が解決しようとする課題】
【０００３】
しかるに特許文献１のような棚受金具では断熱性の向上、材料コストの削減などの目的のため側壁面の板厚を薄くすると、載置部から第１係止片に伝わる荷重（図９の矢印）により、側壁の強度を越える荷重が加えられると側壁が引っ張られるような変形が見られるようになる。側壁に変形が生じると第１係止片が係止孔から外れるおそれがあり、棚受金具の脱落・棚部材の落下といった原因となる可能性があった。
また、特許文献２のような側壁に設けた断面形状が略コの字の棚柱に棚受金具を取り付けるものにおいても、材料コストの削減などの目的のため棚柱の板厚を薄くすると棚受金具の載置部と接続する第１係止片と接する部分の変形が生じていた。
【課題を解決するための手段】
【０００４】
上記課題を解決させるため本案の棚受金具は、貯蔵庫内の側部に所定の高さで設けられた上下１対の係止孔に、前記貯蔵庫内に備えられる棚部材を受ける載置部と略直角上方に向けて形成される第１係止片と、前記載置部と鋭角をもって折曲する主支持部端部に形成される第２係止片とが係合することで取り付けられる棚受金具において、前記載置部と第１係止片を接続する部分は、載置部から前記係止孔の下辺に向けて折曲し形成される平面部分と、該平面部分から第１係止片と接続される曲面部または、平面部とにより構成される補助支持部を有することを特徴とする。
また、本案の棚受金具は、載置部と第１係止片を接続する部分において、前記補助支持部の向かい側に、載置部下方に折曲する傾斜部を備えているところに特徴を有する。
また、本案の棚受金具は主支持部において長手方向に設けられた補強リブを備えているところに特徴を有する。
【発明の効果】
【０００５】
本発明によれば、棚受金具の載置部と接続する第１係止片にかかる荷重を分散させることが出来るので、側壁部や棚柱の板厚を薄くしても、耐荷重の上限を下げることなく、安定した品質の棚受構造を提供できる。
【図面の簡単な説明】
【０００６】
【図１】本発明が適用される貯蔵庫の側断面図
【図２】第１実施形態に係る貯蔵庫の棚受金具の側断面図
【図３】第１実施形態に係る貯蔵庫の棚受金具の斜視図
【図４】第２実施形態に係る貯蔵庫の棚受金具の側断面図
【図５】第３実施形態に係る貯蔵庫の棚受金具の側断面図
【図６】第４実施形態に係る貯蔵庫の棚受金具の側断面図
【図７】第４実施形態に係る貯蔵庫の棚受金具の斜視図
【図８】図５の変形例を示す貯蔵庫の棚受金具の側断面図
【図９】従来の貯蔵庫の棚受構造を示す側断面図
【発明を実施するための最良の形態】
【０００７】
本発明の実施形態を図にもとづいて説明する。図１は本発明が適用される貯蔵庫の側断面図を示す。
【０００８】
＜第１実施形態＞
貯蔵庫１は回動式の扉１２により前方が開放される断熱箱体１０を備え、貯蔵庫となる断熱箱体内部１１には、棚柱２０が後方と左右側部の壁面に設けられる。
図１、図２に示すように棚柱２０には上下一定間隔で設けられた係止孔２２が設けられ、棚受金具３０は一個につき、上下１対の係止孔２２を利用して取り付けられ、それぞれ第１係止片３３と第２係止片３４が係止孔２２に挿通され、棚柱２０に固定されている。棚部材２１が所要高さ水平となるように別の棚柱にも棚受金具３０が取り付けられる。係止孔２２は、棚受金具３０の板厚のおよそ２倍の高さで、第１係止片のおよそ１．５倍の幅を備えている上下辺が水平となる長円形状となっている。
【０００９】
棚受金具３０は金属製の板金を加工して製作されるもので、棚受金具３０を棚柱２０に取り付けたとき、棚部材２１の縁部を保持する面が水平となる載置部３１と、この載置部３１と鋭角を成すよう加工された面が主支持部３２となっている。この主支持部３２の端部には第２係止片３４が形成されている。第２係止片３４は主支持部３２の幅のおよそ３分の１の幅寸法で、主支持部３２と略直角となるよう形成されている。
【００１０】
載置部３１には切り起こし３５が設けられ、線材で製作された棚部材２１の縁部が切り起こし３５より壁面側に導かれるので、棚部材２１の水平方向における位置決めとしての機能を有している。
図２、３に示されるように棚受金具３０には、載置部３１と第１係止片３３を接続する部分に、係止孔２２の下辺２２ａに向けて折曲し形成される平面部分３６ａと、第１係止片と接続される曲面部３６ｂとから構成される補助支持部３６が備えられている。第１係止片３３と曲面部３６ｂは上記平面部分３６ａの終端に近い位置から載置部３１の幅のおよそ３分の１の幅寸法となり、上方に向けて屈曲される。
【００１１】
次に、実施例に係る貯蔵庫の棚受構造の作用について説明する。
棚受金具３０を棚柱２０に取り付けるには、第１係止片３３を係止孔２２に下方からを挿入させ、次に載置部３１と主支持部３２を挟圧して棚受金具３０の開放端を狭めるように金属の弾性を利用して撓ませた状態で、主支持部３２の端部に形成された第２係止片３４を下の係止孔２２に挿入した後、挟圧状態を解除することで、棚受金具３０は棚柱２０に固定される。この作業を同一平面内に位置する棚柱２０の係止孔２２についても行い、棚受金具３０の載置部３１に棚部材２１の端部を載置することで、棚部材２１貯蔵庫内に水平に設置される。
【００１２】
棚部材２１の上に貯蔵物品が載置されることで、棚受金具３０の載置面３１に加わる荷重は、主支持部３２にかかるとともに、補助支持部３６にも分散された荷重がかかる。棚受金具３０は荷重による撓みを生じながら、補助支持部３６の曲面部３６ｂが係止孔２２の下辺部２２ａに当接するようになり、載置部３１から第１係止片３３に伝わる荷重は当接部である下辺部２２ａから下方にいくらか分散されるので、第１係止片３３から貯蔵庫１１内に向けて引っ張る荷重が低減されることになる。これにより棚柱２０の薄肉化においても安定した品質の棚受構造を提供できる。
【００１３】
＜第２実施形態＞
次に、本発明の第２実施形態を図４により説明する。この第２実施形態では補助支持部３６の形状に変更が加えられている。
第２実施形態の棚受金具４０は、載置部３１と第１係止片３３を接続する部分において、係止孔２２の下辺２２ａに向けて折曲して形成された平面部分４６ａと、第１係止片３３と接続される水平な平面部４６ｂとから構成される補助支持部４６が備えられている。第１係止片３３と平面部４６ｂは上記平面部分４６ａの終端に近い位置から載置部３１の幅のおよそ３分の１の幅寸法となり、上方に向けて屈曲される。
棚部材２１に貯蔵物品が載置されることで棚受金具４０が撓み、平面部４６ｂが係止孔２２の下辺部２２ａと垂直に当接するようになり、荷重を効率よく下方に分散することが出来る。これにより第１係止片３３から貯蔵庫１１内に向けて引っ張る荷重が低減されることになり、棚柱２０の薄肉化においても安定した品質の棚受構造を提供できる。
【００１４】
＜第３実施形態＞
次に、本発明の第３実施形態を図５により説明する。この第３実施形態では載置部３１の形状に変更が加えられている。
実施形態３の棚受金具５０は、載置部３１と第１係止片３３を接続する部分において、係止孔２２の下辺２２ａに向けて折曲して形成された平面部分５６ａと、第１係止片と接続される曲面部５６ｂとから構成される補助支持部５６が備えられていることに加え、載置部３１から切り起こし３５の根元にかけて下方に折曲する傾斜部５７を備えている。傾斜部５７は載置部３１の幅寸法と同一となっている。
棚受金具５０は傾斜部５７を備えることで屈曲部が増加したので、棚受金具５０の開放端を撓ませる際に必要な力を低減することが出来るようになり、取り外しの容易な棚受金具を提供できる。
【００１５】
＜第４実施形態＞
次に、本発明の第４実施形態を図６、図７により説明する。この第４実施形態では図６に示すような主支持部６２の中央、長手方向に形成された断面が略半円状のリブ６８が設けられている。この場合、棚部材の上を冷凍物のような硬度の比較的高いものが移動して棚受金具の主支持部６２に正面から衝突しても、補強リブにより主支持部６２の中央から屈曲するような変形を防ぎ、第１、第２係止片が係止孔から外れることが原因の棚受金具の脱落・棚部材の落下といった不具合を防ぐことが出来る。
【００１６】
＜その他の実施形態＞
（１）上記の実施形態は、係止孔を設けた棚柱に棚受金具を取り付けるもので示したが、貯蔵庫側部の壁面である金属製の側壁１３に直接係止孔を設けたものに棚受金具を取り付けるものでもかまわない。この場合でも第１係止片３３から貯蔵庫１１内に向けて引っ張る荷重が低減されることになり、側壁１３の薄肉化においても安定した品質の棚受構造を提供できる。
（２）第３実施形態の変形例として図８に示される棚受金具７０のように、傾斜部７７が補助支持部７６の平面部分７６ａと近接するものでもかまわない。この場合も傾斜部７７を備えることで屈曲部が増加したので、棚受金具７０の開放端を撓ませる際に必要な力を低減することが出来るようになり、取り外しの容易な棚受金具を提供できる。
【符号の説明】
【００１７】
１…貯蔵庫  １０…断熱箱体  １１…貯蔵庫内（庫内）  １２…扉  １３…側壁  ２０…棚柱  ２１…棚部材  ２２…係止孔
３０、４０、５０、６０、７０、１３０…棚受金具
３１…載置部  ３２、６２…主支持部  ３３…第１係止片  ３４…第２係止片
３６、４６、５６、７６…補助支持部
【図１】
0005441754.tif 000002
【図２】
0005441754.tif 000003
【図３】
0005441754.tif 000004
【図４】
0005441754.tif 000005
【図５】
0005441754.tif 000006
【図６】
0005441754.tif 000007
【図７】
0005441754.tif 000008
【図８】
0005441754.tif 000009
【図９】
0005441754.tif 000010